(57)【特許請求の範囲】
【請求項１】
複数の照明器具を上下方向の異なる位置に各々取付けることができる支柱を備えたデスクにおいて、前記デスクの後部にパネル部を設けるとともに、該パネル部の表面に沿って前記支柱を設け、そして前記支柱にアンビエントライトを取付けるとともに、前記アンビエントライトよりも下方にタスクライトを取付け、更に前記支柱を構成する前面板の後方に前記パネルを照射するウォッシャーライトを配置したことを特徴とする照明器具付きデスク。
【請求項２】
複数の照明器具を上下方向の異なる位置に各々取付けることができる支柱を備えたデスクにおいて、前記支柱は、前面板と側面板とを直角に設けた断面略Ｌ字形であり、前記側面板の内側に補強を兼ねた区画壁を間隔を置いて形成するとともに、側面板の後端側に後方へ開放した断面略コ字形の凹溝部を形成し、前記前面板と区画壁とで囲まれる側方開放の空間部を設けてなり、前記支柱にアンビエントライトを取付けるとともに、前記アンビエントライトよりも下方にタスクライトを取付けたことを特徴とする照明器具付きデスク。
【請求項３】
前記支柱を構成する前面板の後方にタスクライトの軸受具を配置したことを特徴とする請求項１又は２記載の照明器具付きデスク。
【請求項４】
前記支柱は、デスクの後部に設けたパネル部の表裏両面に支持具を用いて取付けて立設された一対の支柱であり、該パネル部より上方へ延びた前記一対の支柱の上端間にアンビエントライトを取付けたことを特徴とする請求項１記載の照明器具付きデスク。
【請求項５】
前記支持具は、前記パネル部を構成するフレームの横枠に形成した係合孔に係止するフック金具と、該フック金具の横方向の変位を規制する規制金具とからなり、前記フック金具は、前記係合孔に係止する係止片を有するとともに、前記係止片とは反対側に突出した固定片を有し、前記規制金具は、前記係合孔に嵌入するとともに前記横枠の前面に当接する規制片を有し、前記フック金具に規制金具をネジ止め一体化してなる請求項４記載の照明器具付きデスク。
【請求項６】
前記支柱は、前面板と側面板とを直角に設けた断面略Ｌ字形であり、前記側面板の内側に補強を兼ねた区画壁を間隔を置いて形成するとともに、側面板の後端側に後方へ開放した断面略コ字形の凹溝部を形成し、前記前面板と区画壁とで囲まれる側方開放の空間部を設けてなり、前記パネル部の上下に取付けた複数の前記支持具を前記支柱の凹溝部に受け入れるとともに、該凹溝部に形成したスリット孔から前記支持具の固定片を前記側面板と区画壁の間の中空部に挿入し、該固定片を区画壁にネジ止めしてなる請求項５記載の照明器具付きデスク。
【発明の詳細な説明】
【技術分野】
【０００１】
本発明は、照明効果が異なる複数の照明器具を備えた照明器具付きデスクに関するものである。
【背景技術】
【０００２】
従来から、特許文献１に開示されるように、間仕切パネルの縦枠同士を連結し、あるいは隣接する間仕切パネルを支柱を介して連結し、間仕切パネルの縦枠又は支柱に設けた係止孔に、ブラケットのフックを係止し、該ブラケットに机天板を載置して固定するとともに、適宜な縦枠又は支柱に脚部材を取付けて自立するようにした構造の机天板付き間仕切装置は公知である。
【０００３】
通常、間仕切パネルは、連結に供する縦枠又は支柱に係合溝や係止孔を形成し、パネル板間の縦目地部に臨む係合溝や係止孔を利用して、間仕切パネルの他、棚板ブラケット、照明器具の支持具等のオプションを連結することが一般的である。例えば、特許文献２には、縦目地部に臨む支柱に形成した係止孔に、照明器具のアーム部を支持する取付具のフックを係止するとともに、フックの脱落を防止するための規制体を係止孔に嵌入して前記取付具にネジ止めする構造が開示されている。
【０００４】
しかし、特許文献２に記載の構造は、取付具を装着する位置が縦目地部に制限され、所望の位置に照明器具を設けることができない。また、前記取付具に装着する照明器具は１種類だけであり、多様な照明環境を実現することができない。つまり、最近の省エネルギーの観点からは、従来のように部屋全体を明るくした上で、各デスクの天板上を集中的に明るくするためのタスクライトを設ける方式から、部屋全体は最低限の明るさとし、デスクワークするために、必要なスペースだけ明るくするといったパーソナル照明の方式が好まれる傾向にある。しかし、従来のパネルデスクシステムでは、十分に満足できる照明器具の取付構造は提供されてなかった。
【０００５】
一方、特許文献３には、机天板の背後にパネル板や壁面が存在し、天板の両側後縁部に一対の支柱を立設し、両支柱間に設けたハンギングビームの前面に係止レールを設け、係止レールにはフラットパネルディスプレイや灯具等の機器を支持する機能を有する構造が開示されている。また、特許文献４には、間仕切パネルの両支柱に設けた係止孔を利用して、ブラケットの後端に突設したフックを嵌合係止するとともに、両ブラケットに棚板の両端部を載置し、該棚板の下面に沿った奥部に照明具を横設した構造が開示されている。しかし、何れの構造も従来のデスクにタスクライトを取付ける発想の域から出るものではない。
【先行技術文献】
【特許文献】
【０００６】
【特許文献１】特開２００１−１２８７５３号公報
【特許文献２】特開平０８−１７７１４６号公報
【特許文献３】特開２００８−１０４７０９号公報
【特許文献４】特開２００８−９１１８５号公報
【発明の概要】
【発明が解決しようとする課題】
【０００７】
そこで、本発明が前述の状況に鑑み、解決しようとするところは、照明効果が異なる複数の照明器具をまとめて天板上方に取付けることができる照明器具付きデスクを提供する点にある。また、好ましくは、照明器具の取付位置を横方向の所望位置に選択可能である照明器具付きデスクを提供する点にある。
【課題を解決するための手段】
【０００８】
本発明は、前述の課題解決のために、複数の照明器具を上下方向の異なる位置に各々取付けることができる支柱を備えたデスクにおいて、前記デスクの後部にパネル部を設けるとともに、該パネル部の表面に沿って前記支柱を設け、そして前記支柱にアンビエントライトを取付けるとともに、前記アンビエントライトよりも下方にタスクライトを取付け、更に前記支柱を構成する前面板の後方に前記パネルを照射するウォッシャーライトを配置したことを特徴とする照明器具付きデスクを構成した（請求項１）。
【０００９】
また、本発明は、複数の照明器具を上下方向の異なる位置に各々取付けることができる支柱を備えたデスクにおいて、前記支柱は、前面板と側面板とを直角に設けた断面略Ｌ字形であり、前記側面板の内側に補強を兼ねた区画壁を間隔を置いて形成するとともに、側面板の後端側に後方へ開放した断面略コ字形の凹溝部を形成し、前記前面板と区画壁とで囲まれる側方開放の空間部を設けてなり、前記支柱にアンビエントライトを取付けるとともに、前記アンビエントライトよりも下方にタスクライトを取付けたことを特徴とする照明器具付きデスクを構成した（請求項２）。
【００１０】
ここで、前記支柱を構成する前面板の後方にタスクライトの軸受具を配置することが好ましい（請求項３）。
【００１１】
ここで、前記支柱は、デスクの後部に設けたパネル部の表裏両面に支持具を用いて取付けて立設された一対の支柱であり、該パネル部より上方へ延びた前記一対の支柱の上端間にアンビエントライトを取付けることが好ましい（請求項４）。
【００１２】
そして、前記支持具は、前記パネル部を構成するフレームの横枠に形成した係合孔に係止するフック金具と、該フック金具の横方向の変位を規制する規制金具とからなり、前記フック金具は、前記係合孔に係止する係止片を有するとともに、前記係止片とは反対側に突出した固定片を有し、前記規制金具は、前記係合孔に嵌入するとともに前記横枠の前面に当接する規制片を有し、前記フック金具に規制金具をネジ止め一体化してなることが好ましい（請求項５）。
【００１３】
更に、前記支柱は、前面板と側面板とを直角に設けた断面略Ｌ字形であり、前記側面板の内側に補強を兼ねた区画壁を間隔を置いて形成するとともに、側面板の後端側に後方へ開放した断面略コ字形の凹溝部を形成し、前記前面板と区画壁とで囲まれる側方開放の空間部を設けてなり、前記パネル部の上下に取付けた複数の前記支持具を前記支柱の凹溝部に受け入れるとともに、該凹溝部に形成したスリット孔から前記支持具の固定片を前記側面板と区画壁の間の中空部に挿入し、該固定片を区画壁にネジ止めしてなることがより好ましい（請求項６）。
【発明の効果】
【００１４】
以上にしてなる請求項１に係る発明の照明器具付きデスクは、複数の照明器具を上下方向の異なる位置に各々取付けることができる支柱を備えたデスクにおいて、前記デスクの後部にパネル部を設けるとともに、該パネル部の表面に沿って前記支柱を設け、そして前記支柱にアンビエントライトを取付けるとともに、前記アンビエントライトよりも下方にタスクライトを取付け、更に前記支柱を構成する前面板の後方に前記パネルを照射するウォッシャーライトを配置したので、照明効果が異なる複数の照明器具をまとめて天板上方に取付けることができ、外観を損なう恐れがあるウォッシャーライトを前面板によって目立たなくすることができ、ウォッシャーライトの光が直接目に入るのを防止できる。
【００１５】
請求項２に係る発明の照明器具付きデスクは、複数の照明器具を上下方向の異なる位置に各々取付けることができる支柱を備えたデスクにおいて、前記支柱は、前面板と側面板とを直角に設けた断面略Ｌ字形であり、前記側面板の内側に補強を兼ねた区画壁を間隔を置いて形成するとともに、側面板の後端側に後方へ開放した断面略コ字形の凹溝部を形成し、前記前面板と区画壁とで囲まれる側方開放の空間部を設けてなり、前記支柱にアンビエントライトを取付けるとともに、前記アンビエントライトよりも下方にタスクライトを取付けたので、照明効果が異なる複数の照明器具をまとめて天板上方に取付けることができる。
【００１６】
請求項３によれば、前記支柱を構成する前面板の後方にタスクライトの軸受具を配置したので、外観を損なう恐れがあるタスクライトの軸受具を前面板によって目立たなくすることができる。
【００１７】
請求項４によれば、前記支柱は、デスクの後部に設けたパネル部の表裏両面に支持具を用いて取付けて立設された一対の支柱であり、該パネルより上方へ延びた前記一対の支柱の上端間にアンビエントライトを取付けたので、照明器具の取付位置をパネル面に沿って横方向の所望位置に設定できるので、照明目的及び使用者の好みに応じてカスタマイズできる。
【００１８】
請求項５によれば、前記支持具は、前記パネル部を構成するフレームの横枠に形成した係合孔に係止するフック金具と、該フック金具の横方向の変位を規制する規制金具とからなり、前記フック金具は、前記係合孔に係止する係止片を有するとともに、前記係止片とは反対側に突出した固定片を有し、前記規制金具は、前記係合孔に嵌入するとともに前記横枠の前面に当接する規制片を有し、前記フック金具に規制金具をネジ止め一体化してなるので、フレームの横枠に横方向に所定間隔を設けて複数の係合孔を設けた場合には、支柱の取付位置を係合孔に応じて設定でき、また前面側からの作業のみで、フック金具と規制金具とからなる支持具を簡単且つ強固に横枠に取付けることができる。前記フレームの表裏両面にパネル板を装着した場合でも、横目地部に前記係合孔が臨んでいれば、パネル板の有無に関係なく支持具を取付けることができる。
【００１９】
請求項６によれば、前記支柱は、前面板と側面板とを直角に設けた断面略Ｌ字形であり、前記側面板の内側に補強を兼ねた区画壁を間隔を置いて形成するとともに、側面板の後端側に後方へ開放した断面略コ字形の凹溝部を形成し、前記前面板と区画壁とで囲まれる側方開放の空間部を設けてなり、前記パネル部の上下に取付けた複数の前記支持具を前記支柱の凹溝部に受け入れるとともに、該凹溝部に形成したスリット孔から前記支持具の固定片を前記側面板と区画壁の間の中空部に挿入し、該固定片を区画壁にネジ止めしてなるので、フレームの横枠の係合孔に取付けた前記支持具が支柱の凹溝部内に収容されるので、外部から全く目立たなくすることができ、また支持具に対して支柱を強固に取付けることができる。
【図面の簡単な説明】
【００２０】
【図１】本発明の照明器具付きデスクの実施形態に係るパネルデスクシステムの簡略分解斜視図である。
【図２】パネルデスクシステムの一例を示し、中間にフロントパネルを備えた対面デスク態様の斜視図である。
【図３】パネルフレームの縦枠に支持脚を取付ける構造を示す分解斜視図である。
【図４】同じくパネルフレームの縦枠に支持脚を取付けた状態の一部省略平面図である。
【図５】連結したパネルフレームの両縦枠に渡って支持脚を取付ける構造を示す分解斜視図である。
【図６】同じく連結したパネルフレームの両縦枠に渡って支持脚を取付けた状態の一部省略平面図である。
【図７】支持脚をパネルフレームの縦枠に取付けるための脚連結金具を示し、（ａ）は斜視図、（ｂ）は平面図、（ｃ）は側面図、（ｄ）は正面図を示している。
【図８】パネルフレームの縦枠に支持脚を取付けた状態の斜視図である。
【図９】パネルフレームの上端に延長フレームを連設する構造を示す分解斜視図である。
【図１０】配線ダクトの構造を示す部分断面図である。
【図１１】照明装置を備えたパネルデスクシステムを示す全体斜視図である。
【図１２】同じく照明装置を備えたパネルデスクシステムを示す正面図である。
【図１３】同じく照明装置を備えたパネルデスクシステムを示す側面図である。
【図１４】支柱を示し、（ａ）は支柱の断面図、（ｂ）は支柱の側面図である。
【図１５】間仕切パネルのフレームに支柱を取付ける構造を示す分解斜視図である。
【図１６】同じく間仕切パネルのフレームに支柱を取付ける構造を示す部分拡大斜視図である。
【図１７】同じく間仕切パネルのフレームに支柱を取付けた状態の部分縦断側面図である。
【図１８】同じく間仕切パネルのフレームに支柱を取付けた状態の部分横断平面図である。
【図１９】支柱にアンビエントライトを取付けた構造を一部省略して示した横断平面図である。
【図２０】同じく支柱にアンビエントライトを取付けた構造を示す部分正面図である。
【図２１】支柱にウォッシャーライトを取付けた構造を示す横断平面図である。
【図２２】支柱にタスクライトを取付けた構造を示す横断平面図である。
【発明を実施するための形態】
【００２１】
次に、添付図面に示した実施形態に基づき、本発明を更に詳細に説明する。図１は、本実施形態に係るパネルデスクシステムの構成部材を示す分解斜視図、図２はパネルデスクシステムの態様例を示し、図３〜図１０はパネルデスクシステムの基本構成を示し、図１１〜図２２は本発明に係る照明器具付きデスクの具体例を示し、図中符号１はパネルフレーム、２は端部脚、３は支持脚、４はパネル脚、５は天板、６はダクトカバー、７は上部配線受け、８は下部配線受け、９は幕板、１０は延長フレーム、１１はパネル板、１２は笠木、１３は側カバーをそれぞれ示している。
【００２２】
本実施形態に係るパネルデスクシステムは、図１に示すように、複数のパネルフレーム１，…を側方へ連結し、端部に位置する前記パネルフレーム１の縦枠１４に前記端部脚２を取付けるとともに、中間に位置する前記パネルフレーム１の縦枠１４に支持脚３，…を取付け、そして前記端部脚２と支持脚３の上位及び隣接する両側の支持脚３，３の上位に天板５を載置して固定する。前記天板５の後端と前記パネルフレーム１との間にダクト開口１５を設けて、該ダクト開口１５にダクトカバー６を開閉可能に設けている。また、前記ダクト開口１５の下方で、前記パネルフレーム１の前面側に上部配線受け７と下部配線受け８とを取付け、その前面側に着脱可能且つ開閉可能に幕板９を取付けて配線装置を構成している。また、前記支持脚３には、必要に応じてパネル脚４を連結一体化し、あたかも端部脚２のように構成することも可能である。尚、本発明は、このようなパネルデスクシステムに限らず、一般のデスクにも適用できるものである。
【００２３】
図２は、前記パネルフレーム１の両側に対称に天板５，５を配置した対面デスク態様を示している。本実施形態では、前記パネルフレーム１の高さは、その上端に笠木１２を取付けた状態で、該笠木１２の上面と前記天板５の上面とが略面一になるように設定されている。また、前記パネルフレーム１と天板５の後端との間に設けたダクト開口１５に前記ダクトカバー６を装着することが可能であり、該ダクトカバー６の下方には配線装置を設けている。また、本実施形態では、図２のように、前記パネルフレーム１の上端に延長フレーム１０を連結し、該延長フレーム１０の表裏両面にパネル板１１，１１を取付けるとともに、該延長フレーム１０の上端に笠木１２、側端に側カバー１３を取付けることにより、対面した天板５，５の中間に目隠し機能を有するフロントパネル部１６を設けている。尚、前記パネルフレーム１の上端に笠木１２を取付けた場合も、延長フレーム１０とパネル板１１とを取付けた場合も、前記ダクト開口１５にはダクトカバー６を取付けることが可能である。
【００２４】
次に、各部の詳細を説明する。前記パネルフレーム１は、図１、図３及び図９に示すように、両側に縦枠１４，１４を有し、両縦枠１４，１４の上端部間に上横枠１７と下部間に下横枠１８を縦枠１４の下端部を余して固着した構造である。前記上横枠１７と下横枠１８の表裏方向の厚さは縦枠１４よりも約５ｍｍ程度狭く設定し、該パネルフレーム１の両縦枠１４，１４の表面側に前記パネル板１１を装着した際に、前記上横枠１７及び下横枠１８とパネル板１１の裏面との間の隙間を利用してコードを配線できるようにしている。前記両縦枠１４，１４の下端には、高さ調節可能なアジャスター１９，１９を設けている。そして、両縦枠１４，１４の表裏両面には、前記パネル板１１の背面両側上下部に突設した係合部を係合して取付けるための開口２０，…を上下方向に所定ピッチで形成するとともに、上下部と中間部に左右一対の係止孔２１，２１を形成している。また、前記上横枠１７と下横枠１８の表裏両面で上縁に沿って横方向に一定間隔で横長の係合孔２２，…を形成し、該係合孔２２，…は上下パネル板１１，１１の間及びパネル板１１の上端と笠木１２の間の横目地部２３に露出するようになっている（図２参照）。また、前記横目地部２３に臨む縦枠１４の端部にも横幅の狭い係合孔２２を形成している。前記パネルフレーム１，１同士は、互いの縦枠１４，１４の端面を接合した状態で、貫通したボルトとナットで側方へ連結する。この連結構造は、間仕切パネルの連結構造と同じである。
【００２５】
前記延長フレーム１０は、図１及び図９に示すように、両側の縦枠２４，２４の上端部間に上横枠２５を固着するとともに、下端部間に下横枠２６を固着し、該縦枠２４には前記縦枠１４と同様に開口２０，…を形成し、上横枠２５と縦枠２４にも前記上横枠１７と縦枠１４と同様に係合孔２２，…を形成している。更に、前記延長フレーム１０の両縦枠２４，２４の下端には、前記パネルフレーム１の両縦枠１４，１４の上端開口に嵌合する嵌合部２７，２７を下方へ向けて延設している。そして、前記パネルフレーム１の上に延長フレーム１０を連結するには、前記延長フレーム１０の両嵌合部２７，２７をパネルフレーム１の両縦枠１４，１４の上端開口に嵌合するとともに、パネルフレーム１の上横枠１７と延長フレーム１０の下横枠２６を接合した状態で上下方向にボルトとナットで締結する。尚、前記延長フレーム１０は、複数を上方へ積み重ねて連結することができ、所望の高さの間仕切パネルを構成できる。
【００２６】
本発明では、フレームの具体的構造については制限がなく、前述のように、パネルフレーム１の上に単数又は複数の延長フレーム１０を連結して所定の高さのフレームを構成し、その少なくとも表面側に複数のパネル板１１と上端の横枠に笠木１２を取付けて構成し、前記パネル板１１と笠木１２との間及び上下のパネル板１１，１１間に横目地部２３を形成し、該横目地部２３に横枠の係合孔２２，…が臨んでいればよいのである。但し、後述のように本発明の照明装置を安定に取付けるには、ある程度のパネル部にある程度の高さは必要であり、図２のように天板５より上方へ延びたフロントパネル部１６を備えた態様が好ましい。また、従来の間仕切パネルのように、所定高さの両側縦枠間に複数の横枠を固定した一体構造のフレームを用いてもよい。
【００２７】
前記支持脚３は、図３及び図４に示すように、奥行幅が前記天板５よりも狭く前記パネルフレーム１の縦枠１４の前面に沿って連結する脚板部２８と、該脚板部２８の上端から前方へ延び上位に前記天板５を取付ける支持アーム２９とを有する逆Ｌ字形である。前記脚板部２８の後端面には、前記縦枠１４の下側二対の係止孔２１，２１に係止する下向きフック３０，３０を上下部に突設するとともに、後端部上部には脚連結金具３１を受け入れ、上端後部から下方へ挿入した締結ボルト３２で上方へ引き付けることができるようになっている。前記脚連結金具３１は、図７に示すように、後側に前記縦枠１４の最上方の一対の係止孔２１，２１に係止する上向きフック３３，３３を突設するとともに、上面板３４に前記締結ボルト３２を螺合する螺孔３５を形成したものである。
【００２８】
そして、前記支持脚３を前記パネルフレーム１の縦枠１４に連結するには、先ず前記脚連結金具３１の上向きフック３３，３３を前記縦枠１４の最上方の係止孔２１，２１に係止した状態で、前記支持脚３の下向きフック３０，３０をそれぞれ下側二対の係止孔２１，２１に係止するとともに、前記脚連結金具３１を脚板部２８の上端部内に受け入れる。それから、前記脚板部２８の上端の通孔から挿入した前記締結ボルト３２を脚連結金具３１の螺孔３５に螺合し、該脚連結金具３１を上方へ引き上げると、それに伴って前記支持脚３が下方へ押し下げられ、前記下向きフック３０は下方へ、上向きフック３３は上方へ力が加わるので、強固に連結される。ここで、前記支持脚３の脚板部２８の下端には、高さ調節可能なアジャスター３６を設けてあり、調節して床面に接地させる。
【００２９】
図３及び図４は、前記パネルフレーム１の各縦枠１４にそれぞれ前記支持脚３を連結する例であるが、図５及び図６に示すように、連結したパネルフレーム１，１の両縦枠１４，１４の接合線に一つの前記支持脚３の中心が位置するように取付けることも可能である。それにより、中間部に設ける支持脚３の数を少なくすることができる。図５に示すように、連結したパネルフレーム１，１の両縦枠１４，１４の同じ高さ位置に、４つの係止孔２１，…が存在するので、中央側の二つの係止孔２１，２１を選んで、前記同様に脚連結金具３１を用いて支持脚３を取付けるのである。つまり、隣接する各パネルフレーム１の縦枠１４の外側の係止孔２１を一対用いるのである。取付方法は、前記と全く同様である。
【００３０】
そして、前記支持脚３の支持アーム２９に前記天板５を載置して固定するには、前記支持アーム２９上端前後部に固定板３７，３７を取付け、該固定板３７を天板５の下面にネジ止めして固定する。前記固定板３７は、中心とその両側等距離に通孔３８，…を有し、パネルフレーム１の各縦枠１４にそれぞれ支持脚３を取付ける場合には、一端部の通孔３８を用いて内側に突出するように前記固定板３７をネジ３９で固定する（図３参照）。一方、連結したパネルフレーム１，１の互いに接合した縦枠１４，１４の中央に一つの支持脚３を取付ける場合には、中央の通孔３８を用いて前記固定板３７が両側に突出するように固定する。そして、前記天板５の両側部を支持脚３の上端に載置し、前記固定板３７の残余の通孔３８を用いてネジ止めする。尚、図８に示すように、前記端部脚２の上端前後部にも前記固定板３７，３７を内側へ突出するように固定し、同様に天板５をネジ止めする。
【００３１】
本実施形態では、図１に示すように、必要に応じて前記支持脚３の脚板部２８の前方で前記支持アーム２９と床面との間に、該支持アーム２９と一体化するパネル脚４を着脱可能に取付けることができるようになっている。前記支持脚３にパネル脚４を連結した状態では、前記端部脚２と略同等な外形となる。
【００３２】
前記パネル脚４は、上端に前記支持アーム２９を受け入れて前後方向にスライド係合するガイド溝４０を形成するとともに、後端と前記脚板部２８の前端とを互いに凹凸嵌合する嵌合構造とし、前記パネル脚４のガイド溝４０に前記支持アーム２９を係合するとともに、前記パネル脚４の後端を前記脚板部２８の前端に凹凸嵌合した状態で、前記支持脚３とパネル脚４とを前後方向に締結手段で引き付けて連結する。
【００３３】
ここで、図３及び図４に示したように、パネルフレーム１の各縦枠１４にそれぞれ支持脚３を取付け、端部脚２と支持脚３及び両支持脚３，３の上位にそれぞれ天板５，…を取付けた場合には、特定の天板５とそれを支持していた支持脚３を他の天板５と支持脚３とに関係なく取り除くことができ、その取り除いた空間をミーティングスペース等の他の目的に使用できるように、態様を変更することが容易である。その場合、中間に位置していた支持脚３が端部に位置するようになると、足入れ空間を側方から隠蔽するために、前記パネル脚４を支持脚３に装着し、あたかも端部脚２のように変更するのである。
【００３４】
次に、図１、図８及び図１０に基づいて、ダクトカバー取付装置について簡単に説明する。前記天板５は、後端と前記パネルフレーム１の上横枠１７との間にダクト開口１５を設けて、前記支持脚３の上端及び端部脚２の上端に取付けられ、該ダクト開口１５に面する前記支持脚３と端部脚２の上端後部に取付部材４１を取付け、そして該取付部材４１に対して前記ダクトカバー６を回動開閉可能に支持するヒンジ部材４２を前後方向の位置を変更可能に取付けている。前記取付部材４１とヒンジ部材４２は共に合成樹脂製である。
【００３５】
次に、図１及び図１０に基づいて、配線ダクト装置を簡単に説明する。前記ダクト開口１５の下方の空間で、前記パネルフレーム１の上横枠１７の前面側に前記上部配線受け７を取付けるとともに、下横枠１８の前面側に下部配線受け８を取付け、更に両配線受けの前面側に前記幕板９を開閉可能且つ着脱可能に取付けて内部空間を形成し、前記上部配線受け７と下部配線受け８に収容した余剰コード、ケーブルが前方から見えないようにしている。具体的には、前記下横枠１８の左右両側部に取付けた支持金具４３，４３で前記幕板９の下端を前後傾動可能に支持するとともに、前記天板５の下面両側部に取付けた係止金具４４，４４で前記幕板９の上部両側部に設けたラッチ４５，４５を係着して取付けている。尚、前記幕板９の前面側には、前記ラッチ４５，４５の操作部のみが露出している。
【００３６】
次に、図１１〜図２２に基づいて、本発明の照明器具付きデスクを説明する。図１１〜図１３は照明装置を備えたパネルデスクシステムを示し、図１４〜図１８は支柱の支持構造を示し、図１９〜図２２は各照明器具の具体的な取付構造を示し、図中符号４６は支柱、４７は支持具、４８はアンビエントライト、４９はウォッシャーライト、５０はタスクライトをそれぞれ示している。
【００３７】
先ず、本発明の照明器具付きデスクは、前記フロントパネル部１６の表裏両面に一対の支柱４６，４６を支持具４７を用いて取付け、該フロントパネル部１６より上方へ延びた支柱４６，４６の上端間にアンビエントライト４８を片持ち状に取付けるとともに、前記天板５よりも若干上位でフロントパネル部１６に面した支柱４６の側面部にウォッシャーライト４９を取付け、更にウォッシャーライト４９の上方の支柱４６にタスクライト５０を取付けた基本構造となっている。前記アンビエントライト４８は、高い位置から天板５や天井を照らし、前記ウォッシャーライト４９はフロントパネル部１６のパネル板１１の表面を照らし、前記タスクライト５０は天板５の上面を集中的に照らすのである。それぞれ、照明効果の異なるアンビエントライト４８、ウォッシャーライト４９及びタスクライト５０を共通の一対の支柱４６，４６を利用して取付けている。また、前記支柱４６の取付位置は、パネル面の横方向に変更可能である。
【００３８】
前記支柱４６は、図１４に示すように、前面板５１と側面板５２とを直角に設けた断面略Ｌ字形のアルミ押出し型材からなり、前記側面板５２の内側に補強を兼ねた区画壁５３を間隔を置いて形成するとともに、側面板５２の端縁側、即ち後端側に後方へ開放した断面略コ字形の凹溝部５４を形成し、前記前面板５１と区画壁５３とで囲まれる側方開放の空間部５５を設けたものである。また、前記支柱４６の区画壁５３の内面側には、間隔を隔てて一対の係合脚５６，５６を前記空間部５５に向けて突設するとともに、前記前面板５１と一方の係合脚５６との間に配線スペース５７を設けている。また、前記両係合脚５６，５６には、カバー５８を着脱可能に取付けることできるようになっており、該カバー５８の内側の空間にも配線ができるようになっている。
【００３９】
前記支持具４７は、図１５及び図１６に示すように、前記パネルフレーム１の上横枠１７、下横枠１８又は前記延長フレーム１０の上横枠２５に形成した前記係合孔２２に係止するフック金具５９と、該フック金具５９の横方向の変位を規制する規制金具６０とから構成されている。前記フック金具５９は、垂直な基板部６１の上下一側端に平面視略Ｔ字形の係止片６２を直角に折曲形成するとともに、前記基板部６１の上下他端側の側縁に前記係止片６２とは反対側に固定片６３を直角に折曲形成し、前記基板部６１の前記係止片６２寄り位置に螺孔６４を形成し、更に前記固定片６３の先端部にも螺孔６５を形成している。前記フック金具５９の係止片６２は、前記係合孔２２の横寸法よりも狭い挿入部６２Ａの先端両側に爪部６２Ｂ，６２Ｂを外側反対向きに突設したものであり、両爪部６２Ｂ，６２Ｂの先端間の幅は前記係合孔２２の横寸法よりも広く設定している。即ち、前記係合孔２２の一側孔縁にフック金具５９の一方の爪部６２Ｂを斜めから挿入した後、姿勢を戻して他方の爪部６２Ｂを係合孔２２の他側孔縁に係止することができる。
【００４０】
前記規制金具６０は、前記フック金具５９の係止片６２の両爪部６２Ｂ，６２Ｂが、前記係合孔２２の両側孔縁に係止した状態を維持するためのものであり、前記フック金具５９の基板部６１の一部に外嵌する取付部６６と、該取付部６６に直角に折曲形成した平面視略十文字状の規制片６７とを有し、該規制片６７の先端部には前記係合孔２２に隙間なく嵌入する嵌合部６７Ａと、前記係合孔２２の外側の横枠前面に当接する膨出部６７Ｂ，６７Ｂを有し、更に前記取付部６６には通孔６８を形成している。
【００４１】
そして、前記フック金具５９の係止片６２の両爪部６２Ｂ，６２Ｂを、前記係合孔２２に係止した状態で、前記規制金具６０の取付部６６を前記基板部６１に外嵌すると同時に、前記規制片６７の嵌合部６７Ａを前記係止片６２と重なるように、同じ前記係合孔２２に密嵌し、それから前記取付部６６の通孔６８から挿入した連結ネジ６９を前記基板部６１の螺孔６４に螺合して取付ける。前記係合孔２２の位置を選択すれば、前記支持具４７は、パネル面の横方向の所望位置に取付けることができる。このように、特定の係合孔２２に取付けた支持具４７は、横方向の変位は前記嵌合部６７Ａが係合孔２２に密嵌することで規制し、後方への変位は膨出部６７Ｂが横枠に当接することによって規制されている。そして、前記係合孔２２に取付けた支持具４７の固定片６３が手前に突出した状態となっている。前記支持具４７は、上下に二つ以上取付けるが、本実施形態では前記パネルフレーム１の上横枠１７と下横枠１８の係合孔２２，２２及び延長フレーム１０の上横枠２５の係合孔２２に取付けている。ここで、前記延長フレーム１０の表裏両面にパネル板１１，１１を装着するとともに、上端の上横枠２５に笠木１２を取付けた状態でも、前記係合孔２２は横目地部２３に臨んでいるので、パネル板１１には影響されずに取付けることができる。
【００４２】
そして、前記支柱４６には、図１４、図１６及び図１８に示すように、前記支持具４７，…の位置に対応して前記凹溝部５４から前記側面板５２と区画壁５３との間の中空部７０に連通する縦長のスリット孔７１，…を間歇的に形成してある。そして、図１６〜図１８に示すように、前記パネルフレーム１と延長フレーム１０の各横枠に取付けた複数の前記支持具４７，…の取付部６６を、鉛直に配した前記支柱４６の凹溝部５４に受け入れるとともに、前記固定片６３を前記スリット孔７１に挿入して中空部７０に受け入れ、前記区画壁５３に形成した通孔７２に前記空間部５５から固定ネジ７３を挿入し、前記固定片６３の螺孔６５に螺合する。
【００４３】
このようにして、パネルフレーム１に延長フレーム１０を連結して構成したフレームの表裏両面に、パネル板１１，１１を装着するとともに、上端に笠木１２、側端に側カバー１３を取付けて構成した前記間仕切パネル、即ちフロントパネル部１６の表裏両面に平行に２本の支柱４６，４６を立設する。前記支柱４６，４６はそれぞれ前記ダクト開口１５，１５を貫通して立設される。ここで、前記支柱４６は、前記空間部５５が前記天板５の中央部の方向に向くように取付ける。前記支柱４６の位置以外の前記ダクト開口１５は、適宜な支持手段でダクトカバー６を開閉可能に設けている。
【００４４】
そして、図１１〜図１３、図１９及び図２０に示すように、一対の前記支柱４６，４６の上端間に基盤部７４を片持ち状に連結するとともに、該基盤部７４に前記アンビエントライト４８を装着している。前記基盤部７４の一端部の下面には、前記アンビエントライト４８の制御ボックス７５を固定し、該制御ボックス７５は両支柱４６，４６の空間部５５，５５に埋没状態で配置し、前記区画壁５３にネジ７６で締め付けている。前記制御ボックス７５への電源コード７７は、図２１に示すように、前記支柱４６の配線スペース５７に収容している。尚、前記基盤部７４は、上方からタッピンボルト７８を挿入し、前記支柱４６の側面板５２と区画壁５３の間に設けた断面略Ω状の下穴７９に螺合して連結する。
【００４５】
次に、前記ウォッシャーライト４９は、図２１に示すように、前記天板５より上位の前記支柱４６の空間部５５内に、正面から見えないように装着している。前記ウォッシャーライト４９は、上下方向に長尺の照明器具であり、前記フロントパネル部１６のパネル板１１の表面を照らすように、やや後方向きに光が広がって放出されるようなものである。前記ウォッシャーライト４９の取付構造は、該ライト本体の上下に設けたフランジ部８０を前記区画壁５３にタッピンネジ８１で螺着している。前記支柱４６の前面板５１は、前記ウォッシャーライト４９のシェードのような役目も果たしている。ここで、前記タスクライト５０の電源コード８２は、図２１に示すように、前記区画壁５３とカバー５８の間の空間や、前記ウォッシャーライト４９の奥部の空間部５５を利用して見えないように配線している。
【００４６】
最後に、前記タスクライト５０は、図１２、図１３及び図２２に示すように、軸受具８３を前記支柱４６の空間部５５内で前記ウォッシャーライト４９よりやや上位の位置で前記区画壁５３に取付ける。具体的には、前記軸受具８３の一端上下に設けたフランジ部８４，８４を前記係合脚５６，５６の間に嵌合し、タッピンネジ８５で前記区画壁５３に螺着する。前記軸受具８３の他端部には、垂直な円筒部８６を有し、前記タスクライト５０の支持アーム８７の基端の支軸８８を前記円筒部８６に回動可能に装着し、前記タスクライト５０の灯具８９を所望位置に移動させることができるようになっている。
【符号の説明】
【００４７】
１  パネルフレーム、          ２  端部脚、
３  支持脚、                  ４  パネル脚、
５  天板、                    ６  ダクトカバー、
７  上部配線受け、            ８  下部配線受け、
９  幕板、                    １０  延長フレーム、
１１  パネル板、              １２  笠木、
１３  側カバー、              １４  縦枠、
１５  ダクト開口、            １６  フロントパネル部、
１７  上横枠、                １８  下横枠、
１９  アジャスター、          ２０  開口、
２１  係止孔、                ２２  係合孔、
２３  横目地部、              ２４  縦枠、
２５  上横枠、                ２６  下横枠、
２７  嵌合部、                ２８  脚板部、
２９  支持アーム、            ３０  下向きフック、
３１  脚連結金具、            ３２  締結ボルト、
３３  上向きフック、          ３４  上面板、
３５  螺孔、                  ３６  アジャスター、
３７  固定板、                ３８  通孔、
３９  ネジ、                  ４０  ガイド溝、
４１  取付部材、              ４２  ヒンジ部材、
４３  支持金具、              ４４  係止金具、
４５  ラッチ、                ４６  支柱、
４７  支持具、                ４８  アンビエントライト、
４９  ウォッシャーライト、    ５０  タスクライト、
５１  前面板、                ５２  側面板、
５３  区画壁、                ５４  凹溝部、
５５  空間部、                ５６  係合脚、
５７  配線スペース、          ５８  カバー、
５９  フック金具、            ６０  規制金具、
６１  基板部、                ６２  係止片、
６２Ａ  挿入部、              ６２Ｂ  爪部、
６３  固定片、                ６４  螺孔、
６５  螺孔、                  ６６  取付部、
６７  規制片、                ６７Ａ  嵌合部、
６７Ｂ  膨出部、              ６８  通孔、
６９  連結ネジ、              ７０  中空部、
７１  スリット孔、            ７２  通孔、
７３  固定ネジ、              ７４  基盤部、
７５  制御ボックス、          ７６  ネジ、
７７  電源コード、            ７８  タッピンボルト、
７９  下穴、                  ８０  フランジ部、
８１  タッピンネジ、          ８２  電源コード、
８３  軸受具、                ８４  フランジ部、
８５  タッピンネジ、          ８６  円筒部、
８７  支持アーム、            ８８  支軸、
８９  灯具。
【図１】
0005724420.tif 000002
【図２】
0005724420.tif 000003
【図３】
0005724420.tif 000004
【図４】
0005724420.tif 000005
【図５】
0005724420.tif 000006
【図６】
0005724420.tif 000007
【図７】
0005724420.tif 000008
【図８】
0005724420.tif 000009
【図９】
0005724420.tif 000010
【図１０】
0005724420.tif 000011
【図１１】
0005724420.tif 000012
【図１２】
0005724420.tif 000013
【図１３】
0005724420.tif 000014
【図１４】
0005724420.tif 000015
【図１５】
0005724420.tif 000016
【図１６】
0005724420.tif 000017
【図１７】
0005724420.tif 000018
【図１８】
0005724420.tif 000019
【図１９】
0005724420.tif 000020
【図２０】
0005724420.tif 000021
【図２１】
0005724420.tif 000022
【図２２】
0005724420.tif 000023